(57)【特許請求の範囲】
【請求項１】
上部に平面でみて矩形状の開口端を有した直方体状のケース本体と、
前記開口端の短辺となる一方の側縁にリッドヒンジを介して連結され、前記リッドヒンジの回りに前記ケース本体の幅方向に回動して前記開口端を開閉する箱状のリッドと
を含む、インナケースと、
前記インナケースにスライド自在に外嵌された外筒部材と、
前記インナケースと前記外筒部材との係合を許容する係合手段と
を備え、
前記係合手段は、
前記インナケースに対して前記外筒部材が下方にスライドさせられたとき、前記リッドに開動作を付与するものであり、
前記一方の側縁側に位置する前記リッドの側壁に沿って延び、その上端が前記リッドヒンジの上方にて前記リッドヒンジと平行なトップヒンジを介して連結されているとともに、その下端部に前記外筒部材の内面側に折り返された折返し片を有する帯状体と、
前記外筒部材の内面に設けられ、前記折返し片に向けて延び、且つ、前記外筒部材の前記スライドを受けて前記折返し片と係合可能な延出片とを含み、
前記帯状体の前記トップヒンジは、前記リッドの前記側壁の上端縁に位置付けられており、
前記帯状体は、前記トップヒンジと前記折返し片との間に前記トップヒンジと平行な中間ヒンジを有し、
前記中間ヒンジは前記帯状体が前記リッドの前記側壁に重なり合う状態にあるとき、前記リッドヒンジよりも下方に位置付けられており、
前記外筒部材の上端縁は、前記スライドに伴って前記延出片が前記折返し片に係合すると同時又はこの係合に先立ち、前記中間ヒンジを前記外筒部材から露出させるべく前記中間ヒンジの下方に位置付けられ、
前記外筒部材は、
そのスライド方向に沿った長さが、前記ケース本体における前記スライド方向に沿った長さよりも短く、
前記外筒部材の上端が前記リッドの上壁と略合致した状態となり、且つ、前記外筒部材の下端が前記ケース本体の底壁よりも前記リッドヒンジ側に位置付けられているとき、前記リッドは全閉状態となり、
前記外筒部材の上端が前記リッドヒンジよりも前記ケース本体の底壁側に位置付けられ、且つ、前記外筒部材の下端が前記底壁と面一となったとき、前記リッドは全開状態となることを特徴とするヒンジリッド型パッケージ。
【請求項２】
前記リッドの天板はその外周縁の一部に前記インナケースの外周面よりも突出した突出部を含むことを特徴とする請求項１に記載のヒンジリッド型パッケージ。
【請求項３】
前記ケース本体を正面からみたとき、前記開口端は前記リッドヒンジから上方または下方へ斜めに傾斜していることを特徴とする請求項１または２に記載のヒンジリッド型パッケージ。
【発明の詳細な説明】
【技術分野】
【０００１】
本発明は、パッケージに関し、より詳しくは、ヒンジリッド型パッケージに関する。
【背景技術】
【０００２】
被収容物を収容する包装容器としては、被収容物の性質を考慮し、種々のものが開発されている。被収容物が、例えば、フィルタシガレットやシガレット等のたばこ商品である場合、その包装容器としては、ヒンジリッド型パッケージが多用されている。
ここで、ヒンジリッド型パッケージとしては、例えば、特許文献１に示される紙巻き煙草などのためのヒンジ蓋付きボックスのようなヒンジリッド型パッケージが各種提案されている。
【０００３】
従来公知のヒンジリッド型パッケージは、ボックス形状のアウタボディを含み、アウタボディはその上端に開口端を有する。アウタボディはその内部にインナパックを収容し、このインナパックは紙巻き煙草の束と、この煙草の束を包み込む内包材とを有する。
アウタボディの開口端はその後縁にヒンジを介してボックス形状のリッドを有し、リッドはヒンジを中心に回動し、開口端を開閉可能である。
【０００４】
ところで、従来公知のヒンジリッド型パッケージは、長年使用されていることから、その開閉形態は消費者にとって馴染みがあるものの、消費者の購買意欲を促進させるアピール度に乏しい。
そこで、ヒンジリッド型パッケージにおいてスライド機構を取り入れ、消費者に対するアピール度の向上を図ったものとして、例えば、特許文献２に示されるスライド装置付きヒンジリッド容器が提案されている。
【特許文献１】特開平８−５８７７７号公報
【特許文献２】国際公開第２００７／１２２２００号パンフレット
【発明の開示】
【発明が解決しようとする課題】
【０００５】
ところで、従来公知のスライド装置付きヒンジリッド容器においては、リッドを開くためのフラップがリッドに１つ設けてあり、スライド装置のスライド量を規制するためのストッパフラップが、リッドを開く方向である第1方向およびリッドを閉じる方向である第２方向の両方向に対するものがそれぞれ１つずつ容器本体に設けてあり、更に、前記各ストッパフラップに係合するフラップがそれぞれ１つずつスライド装置に設けてある。このように、従来公知のスライド装置付きヒンジリッド容器は、構造が複雑であり、生産効率が低いという問題がある。
【０００６】
本発明は、上記の問題を解決するために提案されたものであり、簡単な構成で、消費者に対するアピール度を向上させることができる斬新な開閉形態を有しているパッケージを提供することを目的とする。
【課題を解決するための手段】
【０００７】
上記目的を達成するために、請求項１の本発明のヒンジリッド型パッケージは、上部に平面でみて矩形状の開口端を有した直方体状のケース本体と、前記開口端の短辺となる一方の側縁にリッドヒンジを介して連結され、前記リッドヒンジの回りに前記ケース本体の幅方向に回動して前記開口端を開閉する箱状のリッドとを含む、インナケースと、前記インナケースにスライド自在に外嵌された外筒部材と、前記インナケースと前記外筒部材との係合を許容する係合手段とを備え、前記係合手段は、前記インナケースに対して前記外筒部材が下方にスライドさせられたとき、前記リッドに開動作を付与するものであり、前記一方の側縁側に位置する前記リッドの側壁に沿って延び、その上端が前記リッドヒンジの上方にて前記リッドヒンジと平行なトップヒンジを介して連結されているとともに、その下端部に前記外筒部材の内面側に折り返された折返し片を有する帯状体と、前記外筒部材の内面に設けられ、前記折返し片に向けて延び、且つ、前記外筒部材の前記スライドを受けて前記折返し片と係合可能な延出片とを含み、前記帯状体の前記トップヒンジは、前記リッドの前記側壁の上端縁に位置付けられており、前記帯状体は、前記トップヒンジと前記折返し片との間に前記トップヒンジと平行な中間ヒンジを有し、前記中間ヒンジは前記帯状体が前記リッドの前記側壁に重なり合う状態にあるとき、前記リッドヒンジよりも下方に位置付けられており、前記外筒部材の上端縁は、前記スライドに伴って前記延出片が前記折返し片に係合すると同時又はこの係合に先立ち、前記中間ヒンジを前記外筒部材から露出させるべく前記中間ヒンジの下方に位置付けられ、前記外筒部材は、そのスライド方向に沿った長さが、前記ケース本体における前記スライド方向に沿った長さよりも短く、前記外筒部材の上端が前記リッドの上壁と略合致した状態となり、且つ、前記外筒部材の下端が前記ケース本体の底壁よりも前記リッドヒンジ側に位置付けられているとき、前記リッドは全閉状態となり、前記外筒部材の上端が前記リッドヒンジよりも前記ケース本体の底壁側に位置付けられ、且つ、前記外筒部材の下端が前記底壁と面一となったとき、前記リッドは全開状態となることを特徴とするものである。
【００１０】
請求項２の本発明のヒンジリッド型パッケージは、請求項１に記載のヒンジリッド型パッケージにおいて、前記リッドの天板はその外周縁の一部に前記インナケースの外周面よりも突出した突出部を含むことを特徴とする。
請求項３の本発明のヒンジリッド型パッケージは、請求項１または２に記載のヒンジリッド型パッケージにおいて、前記ケース本体を正面からみたとき、前記開口端は前記リッドヒンジから上方または下方へ斜めに傾斜していることを特徴とする。
【発明の効果】
【００１１】
本発明によれば、外筒部材をインナケースに対して下方へ移動させることにより、リッドを開くことができる。しかも、このリッドは、ケース本体の開口端における一方の側部に設けられたヒンジを中心に回動するので、ユニークな開閉形態を有し、消費者の購買意欲を促進させるアピール度の向上が図れる。
また、本発明によれば、係合手段を簡便に構成することができる。また、折返し片および延出片は、ともにインナケースと外筒部材との間に挟まれており、外筒部材あるいはインナケースと常に接触していることから、外筒部材の往復動に対して抵抗となり、外筒部材が不所望にスライドすることを抑制する。
【００１２】
更にまた、本発明によれば、帯状体は、その中間に設けられた中間ヒンジにより屈曲し、リッドの開動作をスムーズに行うことができる。
請求項２に記載の本発明によれば、リッドの一部が突出していることから、外筒部材が上方へスライドすることをリッドの上端部分で規制でき、簡単な構成で外筒部材がインナケースから抜けることを防止することができる。
【００１３】
請求項３に記載の本発明によれば、開口端部分が斜めに切り欠かれた形態となっているので、被収容物がケース本体から突出した部分が多くなり、ケース本体から取り出しやすい。また、開口端の形状がユニークであり、消費者へのアピール度を更に向上させることができる。
【発明を実施するための最良の形態】
【００１４】
以下、本発明に係るヒンジリッド型パッケージの実施の形態を図面を参照して説明する。
図１〜５は、一実施例のヒンジリッド型パッケージを示す。
このパッケージ２は、インナケース７と、このインナケース７にスライド自在に外嵌されている外筒部材８とを備え、インナケース７は、ケース本体６と、このケース本体６に連結されたリッド４とを有する。
【００１５】
ここで、本発明において、平面でみるとは、パッケージ２を図１中矢印Ａ方向にみることを指し、正面からみるとは、パッケージ２を図１中矢印Ｂ方向にみることを指す。また、図１中矢印Ｈで示す方向をパッケージ２の上下方向、図１中矢印Ｗで示す方向をパッケージ２の幅方向、図１中矢印Ｌｆで示す方向をパッケージ２の前方向、図１中矢印Ｌｂで示す方向をパッケージ２の後方向とする。
【００１６】
ケース本体６は１個のインナパック１０を収容可能な大きさを有し、インナパック１０は長さが９５ｍｍのスーパーキングサイズのたばこ商品２０本を内包材により包み込んだものである。より詳しくは、内包材は、紙と、この紙の表面に蒸着されたアルミニウムの膜とを含む。内包材のアルミニウムの膜はたばこ商品の束を湿気から保護するばかりでなく、たばこ商品の束、すなわち、個々のたばこ商品からの芳香の放出を防止する。内包材には上述したアルミニウム蒸着紙に代えて、積層紙を使用することもでき、この積層紙はその内部に湿気や芳香の通過を防止する遮蔽層を有する。
【００１７】
ケース本体６は、上端部が斜めに切り欠かれた箱体である。より詳しくは、ケース本体６は、矩形状である一方の側壁１２と、側壁１２よりも上下方向の寸法が長尺の矩形状をなし、側壁１２と対向配置された他方の側壁１４と、一方の側壁１２と他方の側壁１４のそれぞれ対応する側縁を相互に連結する前壁１６および後壁１８と、一方の側壁１２、他方の側壁１４、前壁１６および後壁１８の下端に連結された矩形状の底壁２０とを備えている。ここで、前壁１６の上端縁１６ａおよび後壁１８の上端縁１８ａは、一方の側壁１２の上端と他方の側壁１４の上端とを結ぶように傾斜している。つまり、前壁１６および後壁１８は、矩形外周の上端縁のみを斜辺とした形状をなし、互いに対向配置されている。そのため、ケース本体６はその上端がリッド４により開閉される開口端２２に形成され、この開口端２２は平面でみて矩形状であるが、正面からみて開口端２の前縁及び後縁は斜めに傾斜している。このようにケース本体６はその開口端２２の両側縁ではなく、前縁及び後縁が斜めに切り欠かれた形態となっているので、その内部のインナパック１０の上部はパッケージ２の前方向Ｌｆ及び後方向Ｌｂの両方に露出させる。それ故、開口端の前縁及び後縁が段違いではあるものの共に水平であるケース本体の場合に比べ、ケース本体６の開口端２２から突出するインナパック１０、つまり、たばこ商品の上部はパッケージ２の前後の方向Ｌｆ，Ｌｂにそれぞれ露出することになり、ケース本体６は開口端２２からのたばこ商品の取り出しを容易にしている。
【００１８】
一方の側壁１２の上端縁には第１ヒンジ２４を介してリッド４が連結されている。ここで、一方の側壁１２の上端縁は、正面でみて矩形状の開口端２２の下側の側縁でもあり、第１ヒンジ２４は前壁１６と後壁１８との間に亘って延びている。第1ヒンジ２４は、リッドヒンジとして機能する。
リッド４は、第1ヒンジ２４に連結されている矩形状の側壁２６と、側壁２６に直交するように連結されている矩形状の天板２８と、側壁２６および天板２８の前側の端縁を連結する斜辺、即ち、傾斜下端縁を有する略三角形状の前壁３０と、側壁２６および天板２８の後ろ側の端縁を連結する斜辺、即ち、傾斜下端縁を有する略三角形状の後壁３２とを備えている。リッド４は、第１ヒンジ２４を中心に回動可能となっている。なお、リッド４が閉じたとき、リッド４における前壁３０及び後壁３２の傾斜下端縁３０ａ，３２ａは、前述したケース本体６における開口端２２の前後縁、即ち、前述の上端縁１６ａ，１８ａにそれぞれ合致する。
【００１９】
また、リッド４には、帯状体３４が連結されている。この帯状体３４は、略矩形状の舌片である。より詳しくは、帯状体３４は、その上端縁を第２ヒンジ３６としてリッド４における側壁２６と天板２８の境界縁に連結されており、その下端部に折返し片３８を有している。なお、第２ヒンジ３６は、トップヒンジとして機能する。前記折返し片３８は、帯状体３４の下端部を折返し線３８ａに沿いケース本体６の幅方向外側かつ上方に向けて折り返すことで形成され、折返し辺３８にはその折り返しによる癖が付けられている。つまり、インナケース７に外筒部材８が外嵌されているとき、帯状帯３４の折返し片３８は外筒部材８の内面を押圧する方向に付勢されている。また、帯状体３４は、第２ヒンジ３６と折返し片３８の折返し線３８ａとの間に第３ヒンジ３７を備えている。この第３ヒンジ３７は、中間ヒンジとして機能するものであり、帯状体３４をインナケース７の側面に沿わした際に第１ヒンジ２４よりも下方に位置すべく形成されている。このため、帯状体３４は、第１ヒンジ２４と第３ヒンジ３７との間の上部領域３４ａと、第３ヒンジ３７と折返し線３８ａとの間の下部領域３４ｂに更に区分され、上部領域３４ａと下部領域３４ｂとは第３ヒンジ３７により相対的に屈曲可能となっている。
【００２０】
更に、リッド４が閉じられたとき、リッド４の天板２８は第２ヒンジ３６とは反対側の端部が開口端２２からインナケース７の幅方向外側に僅かに突出する突出部３９として形成されており、この突出部３９は、インナケース７を囲む外筒部材８が上方へスライドした際、外筒部材８のスライドを規制するストッパとして機能する。
外筒部材８は、角形の筒体である。より詳しくは、外筒部材８は矩形状の前壁４０と、前壁４０と同寸法の矩形状をなし、前壁４０と対向配置された後壁４２と、前壁４０と後壁４２との両側縁を相互に連結する矩形状の一対の側壁４４,４６とを備えている。
【００２１】
ここで、一方の側壁４４の上端縁には延出片４８が設けられており、この延出片４８は、図５に示すように、一方の側壁４４の上端縁５０か外筒部材８の内部に向かって延びている。より詳しくは、延出片４８は外筒部材８の幅方向内側且つ下方へ向かうような折り込み癖を付けるべく、前記上端縁５０に沿って折り曲げられている。つまり、延出片４８は外筒部材８がインナケース７に外嵌された際、インナケース７の対応する側壁を押圧する方向に付勢されている。このため、インナケース７に外嵌された外筒部材８が、下方へスライドさせられた際、延出片４８は、上述したリッド４に連結されている帯状体３４の折返し片３８と係合する。以上のように、本実施例においては、帯状体３４と延出片４８とによりインナケース７と外筒部材８とを係合させる係合手段が形成される。
【００２２】
パッケージ２は、インナケース７を成形するメインブランク５２と、外筒部材８を成形するサブブランク５４とから形作ることができる。
メインブランク５２は、図６に示されるように、ケース本体６の前壁１６となる前壁パネル５６を有しており、前壁パネル５６の上端にはケース本体６の底壁２０となる底壁パネル５８が連なっている。また、前壁パネル５６の一方の側縁（例えば、図６中左側）には、ケース本体６の一方の側壁１２の一部となるインナサイドフラップ６０が連なっており、前壁パネル５６の他方の側縁（例えば、図６中右側）には、ケース本体６の他方の側壁１４の一部となるインナサイドフラップ６２が連なっている。そして、各インナサイドフラップ６０，６２の上端には、インナボトムフラップ６４が連なっており、これらインナボトムフラップ６４は底壁パネル５８に重ね合わされることで、底壁２０の補強をなす。更に、底壁パネル５８には、前壁パネル５６とは反対側に位置してケース本体６の後壁１８となる後壁パネル６６が連なっている。後壁パネル６６の一方の側縁（例えば、図６中左側）には、ケース本体６の一方の側壁１２の残部となる側壁パネル６８が連なっており、後壁パネル６６の他方の側縁（例えば、図６中右側）には、ケース本体６の他方の側壁１４の残部となる側壁パネル７０が連なっている。
【００２３】
また、側壁パネル６８の上端には第１ヒンジ２４の一部となるヒンジライン７２を介してリッド４の側壁２６の一部となる側壁パネル７４が連なっている。側壁パネル７４の側縁（例えば、図６中右側）には、リッド４の後壁３２となる後壁パネル７６が連なっている。後壁パネル７６の上端には、リッド４の天板２８の一部となる天板パネル７８が連なっている。一方、インナサイドフラップ６０の下端には第１ヒンジ２４の残部となるヒンジライン８０を介してリッド４の側壁２６の残部となるインナサイドフラップ８２が連なっている。インナサイドフラップ８２の側縁（例えば、図６中右側）には、リッド４の前壁３０となる前壁パネル８４が連なっている。前壁パネル８４の下端には、リッド４の天板２８の残部となるインナトップフラップ８６が連なっている。
【００２４】
更に、インナトップフラップ８６の側縁（例えば、図６中左側）には、帯状体３４の上部領域３４ａとなる上部領域パネル８８が、第２ヒンジ３６となるヒンジ線９０を介して連なっている。そして、この上部領域パネル８８には、インナトップフラップ８６とは反対側に位置して帯状体３４の下部領域３４ｂとなる下部領域パネル９２が、第３ヒンジ３７となるヒンジ線９４を介して連なっている。この下部領域パネル９２には、上部領域パネル８８とは反対側に位置して帯状体３４の折返し片３８となる折返し片パネル９６が連なっている。
【００２５】
次に、サブブランク５４は、図７に示されるように、外筒部材８の後壁４２となる後壁パネル９８を有しており、後壁パネル９８の一方の側縁（例えば、図７中左側）には、外筒部材８の一方の側壁４４となる一方の側壁パネル１００が連なっている。この一方の側壁パネル１００の上端には、外筒部材８の延出片４８となる延出片パネル１０２が連なっている。また、後壁パネル９８の他方の側縁（例えば、図７中右側）には、外筒部材８の他方の側壁４６の一部となる他方の側壁パネル１０４が連なっている。更に、一方の側壁パネル１００には、後壁パネル９８とは反対側に位置して外筒部材８の前壁４０となる前壁パネル１０６および外筒部材８の他方の側壁４６の残部となるインナサイドフラップ１０８が順次連なっている。
【００２６】
本実施例の場合、ブランク５２，５４は紙材からなり、それらの秤量は１８０〜２７０ｇ／ｍ２、それらの厚みは０．２〜０．５ｍｍである。なお、具体的には、ブランク５２,５４はカード紙、マニラボール紙等の何れであってもよい。
上述したブランク５２，５４は、図６，７中一点鎖線で示した折り込み線からそれぞれ折り込まれて、インナケース７及び外筒部材８をそれぞれ成形し、この折り込み成形により、図１に示すようなリッド４を閉じた状態のパッケージ２が得られる。
【００２７】
より詳しくは、パッケージ２の折り込み成形を行う際、まず、ブランク５２の折り込み成形が行われる。すなわち、前壁パネル５６および前壁パネル８４上にインナパック１０が載置され、この状態でインナパック１０に対してインナサイドフラップ６０，８２，６２、インナボトムフラップ６４および底壁パネル５８のそれぞれの折り込みがなされる。更に、後壁パネル６６，７６および側壁パネル６８，７４，７０が、インナパック１０に被せられるようにそれぞれ折り込みがなされ、それぞれ対応する側壁パネルとインナサイドフラップとが糊付けされる。なお、インナパック１０は、必要に応じて前壁パネル５６、後壁パネル６６、底壁パネル５８、インナサイドフラップ６０，６２等に糊付けされる。次いで、インナトップフラップ８６および天板パネル７８はそれぞれ折り込みがなされ、インナトップフラップ８６が天板パネル７８の内面に糊付けされる。更に、帯状体３４となる上部領域パネル８８、下部領域パネル９２および折返し片パネル９６のそれぞれに対し、ヒンジ線９０，９４および折り込み線（折返し線３８ａ）に沿って所定の折り込み又は折返しの癖付けをなすべく折り込みが行われる。このようにしてインナパック１０を備えた中間体が得られる。
【００２８】
この後、サブブランク５４においては、まず、延出片パネル１０２が外筒部材８の内側方向となるサブブランク５４の内面側へ折り曲げられる。そして、上述の中間体とサブブランク５４の上下方向を合わせた状態で、斯かる中間体をサブブランク５４の前壁パネル１０６上に載置し、前壁パネル１０６と中間体の前壁パネル５６，８４とを重ね合わせる。この状態で、公知の如く、中間体の回りにサブブランク５４を折り込むとともに、糊付けしていくことで、インナケース７に外筒部材８が外嵌された図１に示すパッケージ２が成形される。
【００２９】
このようにしてヒンジリッド型パッケージ２にたばこ商品が包装されると、この後、個々のパッケージ２は、例えば、透明フィルムで外包される。
このパッケージ２を購入した消費者は、まず、外包フィルムを開封し、そして外筒部材８をインナケース７に対して下方へスライドさせる。これにより、リッド４が開きケース本体６に収容さているインナパック１０の上部が露出してくる。
【００３０】
ここで、パッケージ２の動作について、図８を基により詳しく説明する。まず、図８（ａ）に示すように、当初外筒部材８は、インナケース７の上部に外嵌されており、リッド４は閉じた状態にある。なお、このとき、リッド４の突出部３９は外筒部材８の上端縁と当接しており、外筒部材８はそれ以上の上方への移動が突出部３９により阻止されている。よって、外筒部材８がインナケース７から抜けることは防止されている。
【００３１】
この状態から、インナケース７に対し、外筒部材８が下方へ移動されると、帯状体３４の折返し片３８に外筒部材８の延出片４８が係止される（図８（ｂ））。更に、外筒部材８が下方へ移動されると、折返し片３８と延出片４８とが係合していることから、リッド４の一方の側部が帯状体３４により相対的に下方に引き付けられることになり、この引き付けは第１ヒンジ２４の回りにリッド４を回動させる。これにより、リッド４は開いていき、これに伴いインナパック１０の上部がケース本体６から露出してくる。
【００３２】
ここで、外筒部材８が下方に移動される際、帯状体３４の第３ヒンジ３７が外筒部材８から外側へ露出されると、この第３ヒンジ３７にて帯状体３４の上部領域３４ａが下部領域３４ｂに対して外側に屈曲されることから、リッド４の開動作はスムーズに行われる（図８（ｃ））。更に外筒部材８が下方へ移動されると、リッド４は閉じた状態に対して９０度開いた状態となり、インナパック１０の上部が完全に露出する（図８（ｄ））。
【００３３】
このように、リッド４が閉状態のときは外筒部材８の上端はリッド４の天板２８と略合致した状態であり、外筒部材８が下方に移動し外筒部材８の下端がケース本体６の底壁２０と合致した状態となるとリッド４は閉状態に対して９０度開いた状態となる。
外筒部材８の下端とケース本体６の下端が合致したとき、インナパック１０の上部が完全に露出し、通常、それ以上に外筒部材８が更に引き下げられるようなことはない。しかしながら、仮に、消費者が更に外筒部材８を引き下げたとしても、リッド４が１８０度近くまで開かれると、リッド４の開動作は限界となるから、インナケース７に対し、それ以上外筒部材８が下方に移動されることはない。つまり、延出片４８と折返し片３６との係合は、リッド４を開かせるために機能するのみならず、外筒部材８の下方へのスライド量が規制されることで、インナケース７からの外筒部材８の抜け落ちを防止する機能も発揮する。
【００３４】
なお、本実施例においては、外筒部材８の下端とケース本体６の下端とが合致したときリッド４が９０度開かれた状態となり、仮に、それ以上外筒部材８が引き下げられたとしても、外筒部材８がケース本体６から抜け落ちる前にリッド４の開動作が限界となって外筒部材８のスライドが止められるように、延出片４８と折返し片３８との位置関係および帯状体３４の長さが設定されている。
【００３５】
このようにしてケース本体６の上部開口端からインナパック１０が露出すると、消費者はインナパック１０を開封し、インナパック１０からたばこ商品を取り出す。逆に、インナパック１０を収納する場合は、ケース本体６に対して外筒部材８を上方に移動させていくことにより延出片４８と折返し片３８との係合は解除され、そして、リッド４は、外筒部材８の内壁にガイドされることで閉じていく。最終的に、外筒部材８の上端、つまり、延出片４８を有する側壁とは反対側の側壁の上端がリッド４の突出部３９と当接した時点で、リッド４は完全に閉じた閉位置に位置付けられ、パッケージ２を閉じることができる。
【００３６】
再度たばこ商品を取り出す際は、上記と同じように外筒部材８を下方へ移動させればよい。
このように本実施例に係るヒンジリッド型パッケージ２は、外筒部材８を引き下げていく動作に連動させて、パッケージ２の側部に位置したヒンジを中心とする回動動作によりリッド４を開くようにしたので、消費者に対するアピール度の向上が図れる。また、パッケージ２は、リッド４の天板２８に設けた突出部３９や、帯状体３４を備えているので、外筒部材８がインナケース７から抜けることを有効に防止することができる。つまり、本実施例によれば、外筒部材８のスライド量を規制するための構造を簡易に構成することができる。
【００３７】
また、本実施例に係るパッケージ２は、リッド４を閉じることにより、たばこ商品の鮮度の低下を抑えることができ、しかも消費者がパッケージを購入後、そのパッケージ２内にインナパック１０をリフィルとして詰め込むためのたばこ商品用ケースとして使用する場合の利便性にも優れている。
本発明は上述した一実施例に制約されるものではなく、種々の変形が可能である。例えば、本実施例では、ケース本体６の開口端２２は、第１ヒンジ２４を基点として斜め上方へ傾斜しているが、この態様に限定されるものではなく、第１ヒンジ２４を基点として斜め下方へ傾斜する開口端としても構わない。つまり、ケース本体６からの被収容物の上部の露出範囲を広くできるのであれば、開口端の傾斜方向はどちらでも構わない。また、本実施例では、第２ヒンジ３６とは反対側の天板２８の端部に突出部３９を設けたが、この態様に限定されるものではなく、天板２８と前壁３０との境界縁もしくは天板２８と後壁３２との境界縁に、リッド４にインナケース８の外周面よりも突出した突出部を設ける態様としても構わない。つまり、外筒部材８のスライドがこの突出部に当接することで止められればよい。更に、本実施例では、スーパーキングサイズのたばこ商品の２０本パックを１個収容するタイプについて説明したが、長さが８５ｍｍ程度のキングサイズのたばこ商品２０本を収容するインナパック１個を収容するタイプに適用しても構わない。また、収容できる商品としては、たばこ商品に限定されるものではなく、お菓子などの食品等他の商品であってもよく、本発明のヒンジリッド型パッケージは、これら商品のパッケージとしても適用することができる。
【図面の簡単な説明】
【００３８】
【図１】実施例に係るヒンジリッド型パッケージのリッドを閉じた状態を示す斜視図である。
【図２】実施例に係るヒンジリッド型パッケージの外筒部材を引き下げていく途中の状態を示す斜視図である。
【図３】実施例に係るヒンジリッド型パッケージのリッドを開いた状態を示す斜視図である。
【図４】実施例に係るヒンジリッド型パッケージのリッドを開いた状態を下方からみた斜視図である。
【図５】実施例に係るヒンジリッド型パッケージの構成を一部を切り欠いて示した分解斜視図である。
【図６】インナケースを構成するメインブランクの展開図である。
【図７】外筒部材を構成するサブブランクの展開図である。
【図８】実施例に係るヒンジリッド型パッケージの動作を説明するための概略構成図である。
【符号の説明】
【００３９】
２            パッケージ
４            リッド
６            ケース本体
７            インナケース
８            外筒部材
１０          インナパック
１２          一方の側壁
１４          他方の側壁
１６          前壁
１８          後壁
２０          底壁
２２          開口端
２４          第１ヒンジ
２６          側壁
２８          天板
３０          前壁
３２          後壁
３４          帯状体
３６          第２ヒンジ
３７          第３ヒンジ
３８          折返し片
３９          突出部
４０          前壁
４２          後壁
４４          側壁
４６          側壁
４８          延出片
５０          上端縁
５２          メインブランク
５４          サブブランク
【図１】
0005455326.tif 000002
【図２】
0005455326.tif 000003
【図３】
0005455326.tif 000004
【図４】
0005455326.tif 000005
【図５】
0005455326.tif 000006
【図６】
0005455326.tif 000007
【図７】
0005455326.tif 000008
【図８】
0005455326.tif 000009